(57)【要約】      （修正有）【課題】長時間の装着において耳たぶが痛くなりにくいイヤリング金具を提供する。【解決手段】金属製の弾性線材を曲げて成型したイヤリング用の金具において、線材の一方の終端を幅広に成型することにより、耳たぶに挟着した際の痛みを緩和できるイヤリング用の金具である。また本発明は、金属製の弾性線材の一方の終端を幅広に曲げて成型した部分に、シリコン製のカバーを被せて使用することにより、耳たぶに挟着した際の痛みを緩和できるイヤリング用の金具である。【選択図】なし【特許請求の範囲】
【請求項１】
金属製の弾性線材を曲げて成型したイヤリング用の金具において、線材の一方の終端を幅広に成型することにより、耳たぶに挟着した際の痛みを緩和できるイヤリング用の金具。
【請求項２】
請求項１記載のイヤリング用の金具の幅広に成型した一方の終端に、シリコン製のカバーを被せて使用することにより、耳たぶに挟着した際の痛みを緩和できるイヤリング用の金具。
【発明の詳細な説明】
【技術分野】
【０００１】本発明は金属製の弾性線材を成型したイヤリング用の金具に関して、特に耳に装着した際の痛みを和らげるためのイヤリング金具に関する。
【背景技術】
【０００２】金属製の弾性線材を成型したイヤリング金具は金属自体の弾性を利用して耳たぶを挟着することで耳たぶに取り付けるイヤリング金具である。【０００３】従来の金属製の弾性線材を成型したイヤリング金具はＵ字状もしくは一部が切り欠かれた環状に形成されている弾性線材の両端に、それぞれ球体等の形状の保持体を固定したものである（例えば特許文献１参照。）。
【先行技術文献】
【特許文献】
【０００４】
【特許文献１】特開平９−８４０６０９号公報
【発明の概要】
【発明が解決しようとする課題】
【０００５】従来の金属製の弾性線材を成型したイヤリング金具は、長時間の装着において耳たぶが痛くなるという欠点があった。
【課題を解決するための手段】
【０００６】本発明は、金属製の弾性線材を曲げて成型したイヤリング用の金具において、線材の一方の終端を幅広に成型することにより、耳たぶに挟着した際の痛みを緩和できるイヤリング用の金具である。【０００７】また本発明は、金属製の弾性線材の一方の終端を幅広に曲げて成型した部分に、シリコン製のカバーを被せて使用することにより、耳たぶに挟着した際の痛みを緩和できるイヤリング用の金具である。
【発明の効果】
【０００８】本発明によれば、耳たぶとの接触面積が増えることにより耳たぶに加わる圧力が分散されるので、金具を耳たぶに挟着した際の痛みを緩和できる。【０００９】また本発明によれば、シリコンカバーを金属に被覆することで、シリコンのソフトな感触の効果により長時間挟着しても耳たぶの痛みを緩和できる。
【発明を実施するための形態】
【００１０】本発明の一実施形態によるイヤリング用の金具について図面を参照して説明する。
【００１１】図１は本実施形態によるイヤリング用金具を構成する金具本体と、これに被せるシリコンカバーの「拡大斜視図」である。本実施形態による金具１は金具本体２とシリコンカバー３により構成される。
【００１２】図２は本実施形態によるイヤリング用金具を構成する金具本体の拡大斜視図である。金具本体２は金属製の弾性線材により形成されている。金具本体２は全体としてはひらがなの「ひ」の字型に形成されている。図示するように金具本体２のの一方の終端は弾性線材を曲げることで形成された幅広成型部２１を備えている。もう一方の終端部には装飾体２２が結合されている。
【００１３】装飾体２２はロウ付け、半田付け、のり付け、鋳造等により、金具本体２に結合される。
【００１４】図３は本実施形態によるイヤリング用金具を構成するシリコンカバーの拡大斜視図である。シリコンカバー３はシリコン素材によって形成されている。図示するようにシリコンカバー３には穴３２が開孔している。穴３２はシリコンカバー３の底面の金具挿通口３３から開孔し、穴終端部３４で止まる。シリコンカバー３の底面側には直径が一回り太い帯状部３１が備わっている。
【００１５】このように金具本体２とシリコンカバー３により構成された金具１の使用方法を図４を参照して説明する。
【００１６】図４（ａ）に示すように金具本体２の幅広成型部始端２４とシリコンカバー３の金具挿通口３３を合わせる。
【００１７】次に図４（ｂ）に示すように金具本体２の幅広成型部２１をシリコンカバー３の穴３２に挿入する。このとき穴３２は幅広成型部２１の幅より小さいがシリコン自体の柔軟性により挿入が可能となる。幅広成型部始端２４が穴終端部３４まで到達するようにしっかりと挿入する。
【００１８】次に図４（ｃ）のようにシリコンカバー３の帯状部３１がが金具本体２の幅広成型部終端２３を覆うようにしっかりと被せる。帯状部３１が幅広成型部２３を覆うことにより、幅広成型部２１が抵抗となりシリコンカバー３が金具本体２から容易に抜けない状態になる。
【００１９】このように金具本体２にシリコンカバー３を被せた金具１を耳たぶに挟着させて使用する。
【００２０】従来の金具では耳たぶに接触する面が線接触であったが、本発明の金具１では面接触となる。耳たぶとの接触面積が増えることにより耳たぶに加わる圧力が分散されるので、かなぐを耳たぶに挟着した際の痛みを緩和できる。
【００２１】また本発明によれば、シリコンカバーを金具に被覆することで、シリコンのソフトな感触の効果により長時間挟着しても耳たぶの痛みを緩和できる。
【図１】
2011041811.tif 000002
【図２】
2011041811.tif 000003
【図３】
2011041811.tif 000004
【図４】
2011041811.tif 000005
【手続補正書】
【提出日】平成22年12月10日(2010.12.10)
【手続補正１】
【補正対象書類名】明細書
【補正対象項目名】全文
【補正方法】変更
【補正の内容】
【発明の詳細な説明】
【技術分野】
【０００１】本発明は金属製の弾性線材を成型したイヤリング用の金具に関して、特に耳に装着した際の痛みを和らげるためのイヤリング金具に関する。
【背景技術】
【０００２】金属製の弾性線材を成型したイヤリング金具は金属自体の弾性を利用して耳たぶを挟着することで耳たぶに取り付けるイヤリング金具である。【０００３】従来の金属製の弾性線材を成型したイヤリング金具はＵ字状もしくは一部が切り欠かれた環状に形成されている弾性線材の両端に、それぞれ球体等の形状の保持体を固定したものである（例えば特許文献１参照。）。
【先行技術文献】
【特許文献】
【０００４】
【特許文献１】特開平９−８４０６０９号公報
【発明の概要】
【発明が解決しようとする課題】
【０００５】従来の金属製の弾性線材を成型したイヤリング金具は、長時間の装着において耳たぶが痛くなるという欠点があった。
【課題を解決するための手段】
【０００６】本発明は、金属製の弾性線材を曲げて成型したイヤリング用の金具において、線材の一方の終端を幅広に成型することにより、耳たぶに挟着した際の痛みを緩和できるイヤリング用の金具である。【０００７】また本発明は、金属製の弾性線材の一方の終端を幅広に曲げて成型した部分に、シリコン製のカバーを被せて使用することにより、耳たぶに挟着した際の痛みを緩和できるイヤリング用の金具である。
【発明の効果】
【０００８】本発明によれば、耳たぶとの接触面積が増えることにより耳たぶに加わる圧力が分散されるので、金具を耳たぶに挟着した際の痛みを緩和できる。【０００９】また本発明によれば、シリコンカバーを金属に被覆することで、シリコンのソフトな感触の効果により長時間挟着しても耳たぶの痛みを緩和できる。
【発明を実施するための形態】
【００１０】本発明の一実施形態によるイヤリング用の金具について図面を参照して説明する。
【００１１】図１は本実施形態によるイヤリング用金具を構成する金具本体と、これに被せるシリコンカバーの［拡大斜視図」である。本実施形態による金具１は金具本体２とシリコンカバー３により構成される。
【００１２】図２は本実施形態によるイヤリング用金具を構成する金具本体の拡大斜視図である。金具本体２は金属製の弾性線材により形成されている。金具本体２は全体としてはひらがなの「ひ」の字型に形成されている。図示するように金具本体２のの一方の終端は弾性線材を曲げることで形成された幅広成型部２１を備えている。もう一方の終端部には装飾体２２が結合されている。
【００１３】装飾体２２はロウ付け、半田付け、のり付け、鋳造等により、金具本体２に結合される。
【００１４】図３は本実施形態によるイヤリング用金具を構成するシリコンカバーの拡大斜視図である。シリコンカバー３はシリコン素材によって形成されている。図示するようにシリコンカバー３には穴３２が開孔している。穴３２はシリコンカバー３の底面の金具挿通口３３から開孔し、穴終端部３４で止まる。シリコンカバー３の底面側には直径が一回り太い帯状部３１が備わっている。
【００１５】このように金具本体２とシリコンカバー３により構成された金具１の使用方法を図４を参照して説明する。
【００１６】図４（ａ）に示すように金具本体２の幅広成型部始端２４とシリコンカバー３の金具挿通口３３を合わせる。
【００１７】次に図４（ｂ）に示すように金具本体２の幅広成型部２１をシリコンカバー３の穴３２に挿入する。このとき穴３２は幅広成型部２１の幅より小さいがシリコン自体の柔軟性により挿入が可能となる。幅広成型部始端２４が穴終端部３４まで到達するようにしっかりと挿入する。
【００１８】次に図４（ｃ）のようにシリコンカバー３の帯状部３１がが金具本体２の幅広成型部終端２３を覆うようにしっかりと被せる。帯状部３１が幅広成型部２３を覆うことにより、幅広成型部２１が抵抗となりシリコンカバー３が金具本体２から容易に抜けない状態になる。
【００１９】このように金具本体２にシリコンカバー３を被せた金具１を耳たぶに挟着させて使用する。
【００２０】従来の金具では耳たぶに接触する面が線接触であったが、本発明の金具１では面接触となる。耳たぶとの接触面積が増えることにより耳たぶに加わる圧力が分散されるので、かなぐを耳たぶに挟着した際の痛みを緩和できる。
【００２１】また本発明によれば、シリコンカバーを金具に被覆することで、シリコンのソフトな感触の効果により長時間挟着しても耳たぶの痛みを緩和できる。
【図面の簡単な説明】
【００２２】
【図１】本実地形態によるイヤリング用金具を構成する金具本体とこれに被せるシリコンカバーの拡大斜視図である。
【図２】本実施形態によるイヤリング用金具を構成する金具本体の拡大斜視図である。
【図３】本実施形態によるイヤリング用金具を構成するシリコンカバーの拡大斜視図である。
【図４】本実施形態によるイヤリング用金具を構成する金具本体とこれに被せるシリコンカバーの使用方法である。
【符号の説明】
【００２３】１    金具
２    金具本体
３    シリコンカバー
２１  幅広成型部
２２  装飾体
２３  幅広成型部終端
２４  幅広成型部始端
３１  帯状部
３２  穴
３３  金具挿通口
３４  穴終端部